(57)【特許請求の範囲】
【請求項１】
用紙に画像を形成する画像形成部が筐体の内部に収容された画像形成装置であって、
前記筐体を持ち上げる際に支持され、該筐体の支持側面から内部に凹ませて形成された取手部と、
前記筐体の内部に収容され、画像を記憶するＨＤＤと、
前記ＨＤＤの一部を覆う補強部材とを備え、
前記取手部および前記ＨＤＤは、前記支持側面側で互いに対向するように設けられ、
前記補強部材は、前記支持側面と前記ＨＤＤとの間に、それぞれから離間して設けられていること
を特徴とする画像形成装置。
【請求項２】
請求項１に記載の画像形成装置であって、
前記補強部材は、前記取手部の上部に配置され、該取手部の上方への移動を規制する補強規制部が設けられていること
を特徴とする画像形成装置。
【請求項３】
請求項２に記載の画像形成装置であって、
前記取手部は、略水平な方向に延伸された取手支持面が設けられ、
前記補強規制部は、前記取手支持面に対向する平面状に形成されていること
を特徴とする画像形成装置。
【請求項４】
請求項１から請求項３までのいずれか１つに記載の画像形成装置であって、
前記筐体の内部に設けられ、前記ＨＤＤを固定する固定部材を備え、
前記補強部材は、前記固定部材に固定されていること
を特徴とする画像形成装置。
【請求項５】
請求項１から請求項４までのいずれか１つに記載の画像形成装置であって、
上面視における前記支持側面側に重心が位置していること
を特徴とする画像形成装置。
【請求項６】
請求項１から請求項５までのいずれか１つに記載の画像形成装置であって、
前記支持側面は、前記筐体の内側に向かって凹んだ側面固定部が設けられ、
前記補強部材は、前記側面固定部と締結部材で固定されていること
を特徴とする画像形成装置。
【発明の詳細な説明】
【技術分野】
【０００１】
本発明は、用紙に画像を形成する画像形成部が筐体の内部に収容された画像形成装置に関する。
【背景技術】
【０００２】
近年、オフィスや家庭など様々な場所に、プリンタなどの画像形成装置が設置されている。このような画像形成装置では、多機能化などのために、多数の部品が集積されて重量が増加しており、ユーザが一人では持ち運べないものとなっていた。そこで、画像形成装置には、設置する際に持ち上げるための取手を設けることで、ユーザによる運搬を補助し、転落や転倒といった事故に対する配慮がされている（例えば、特許文献１参照）。
【先行技術文献】
【特許文献】
【０００３】
【特許文献１】特開２００６−２３１６８２号公報
【発明の概要】
【発明が解決しようとする課題】
【０００４】
特許文献１に記載の記録装置では、外装ケースの両側部にそれぞれ設けた取手のうち、重心が寄った側の取手を、他方の取手よりも高い位置に設けることで、記録装置が回転モーメントの方向に倒れる危険性があることを運搬者に察知させている。
【０００５】
ところで、近年の画像形成装置では、用紙に形成する画像をデータとして記憶するＨＤＤを内部に備える構成が適用されているが、ＨＤＤは、衝撃によって破損する虞があるため、運搬時の衝撃に対する対処が必要であった。これに対し、特許文献１に記載の記録装置では、運搬時や設置時での内部の部品に対する衝撃が考慮されていないという課題があった。
【０００６】
本発明は、上記の課題を解決するためになされたものであり、移動させる際の衝撃を緩和して耐衝撃性を向上させた画像形成装置を提供することを目的とする。
【課題を解決するための手段】
【０００７】
本発明に係る画像形成装置は、用紙に画像を形成する画像形成部が筐体の内部に収容された画像形成装置であって、前記筐体を持ち上げる際に支持され、該筐体の支持側面から内部に凹ませて形成された取手部と、前記筐体の内部に収容され、画像を記憶するＨＤＤと、前記ＨＤＤの一部を覆う補強部材とを備え、前記取手部および前記ＨＤＤは、前記支持側面側で互いに対向するように設けられ、前記補強部材は、前記支持側面と前記ＨＤＤとの間に、それぞれから離間して設けられていることを特徴とする。
【０００８】
本発明に係る画像形成装置では、前記補強部材は、前記取手部の上部に配置され、該取手部の上方への移動を規制する補強規制部が設けられている構成としてもよい。
【０００９】
本発明に係る画像形成装置では、前記取手部は、略水平な方向に延伸された取手支持面が設けられ、前記補強規制部は、前記取手支持面に対向する平面状に形成されている構成としてもよい。
【００１０】
本発明に係る画像形成装置では、前記筐体の内部に設けられ、前記ＨＤＤを固定する固定部材を備え、前記補強部材は、前記固定部材に固定されている構成としてもよい。
【００１１】
本発明に係る画像形成装置では、上面視における前記支持側面側に重心が位置している構成としてもよい。
【００１２】
本発明に係る画像形成装置では、前記支持側面は、前記筐体の内側に向かって凹んだ側面固定部が設けられ、前記補強部材は、前記側面固定部と締結部材で固定されている構成としてもよい。
【発明の効果】
【００１３】
本発明によると、衝撃等を受けて破損しやすいＨＤＤを、ユーザによって支持される取手部の近傍に設けることで、移動させる際の衝撃を緩和して耐衝撃性を向上させることができる。
【図面の簡単な説明】
【００１４】
【図１】本発明の第１実施形態に係る画像形成装置の概略構成図である。
【図２】本発明の第１実施形態に係る画像形成装置を右前側から見た外観斜視図である。
【図３】本発明の第１実施形態に係る画像形成装置を左後側から見た外観斜視図である。
【図４】支持側面側から見た画像形成装置を示す側面図である。
【図５】図４に示す画像形成装置から支持側面に対応するカバーを取り外した状態を示す側面図である。
【図６】図４の矢符Ａ−ＡでのＨＤＤ近傍を拡大して示す拡大断面図である。
【図７】図４の矢符Ｂ−ＢでのＨＤＤ近傍を拡大して示す拡大断面図である。
【図８】補強部材を示す外観斜視図である。
【図９】上面視した状態の画像形成装置における取手部と重心との位置関係を示す概略上面図である。
【図１０】本発明の第２実施形態に係る画像形成装置におけるＨＤＤ近傍を拡大して示す拡大断面図である。
【図１１】本発明の第３実施形態に係る画像形成装置におけるＨＤＤ近傍を拡大して示す拡大断面図である。
【発明を実施するための形態】
【００１５】
以下、本発明の第１実施形態に係る画像形成装置について、図面を参照して説明する。
【００１６】
図１は、本発明の第１実施形態に係る画像形成装置の概略構成図である。
【００１７】
画像形成装置１は、原稿を読み取って用紙に画像形成する複写機能を有しており、画像読取装置２、画像読取装置２の上側に設けられた原稿搬送装置（ＡＤＦ）３、画像読取装置２の下側に設けられた画像形成部４、給紙カセット５、および積載トレイ３９を備えている。
【００１８】
原稿搬送装置３は、奥一辺のヒンジ（支点、図示しない）によって画像読取装置２に対して開閉自在に支持されており、手前側端部が上下されることによって開閉される。原稿搬送装置３が開かれると、画像読取装置２の上方が開放され、原稿を手置きで置くことができるようになっている。また、原稿搬送装置３は、載置された原稿を画像読取装置２の上に自動で搬送する。
【００１９】
画像読取装置２は、奥一辺のヒンジ（支点、図示しない）によって画像形成部４に対して開閉自在に支持されており、手前側端部が上下されることによって開閉される。画像読取装置２を開くことで、画像形成装置１に内蔵された部品等のメンテナンスを行うことができる。画像読取装置２は、載置された原稿または原稿搬送装置３から搬送された原稿を読み取って画像データを生成する。
【００２０】
画像形成装置１では、ブラック（Ｋ）、シアン（Ｃ）、マゼンタ（Ｍ）、イエロー（Ｙ）の各色を用いたカラー画像、または単色（例えば、ブラック）を用いたモノクロ画像に応じた画像データが扱われる。画像形成部４には、４種類のトナー像を形成するための現像装置１２、感光体ドラム１３、ドラムクリーニング装置１４、および帯電器１５が４つずつ設けられ、それぞれがブラック、シアン、マゼンタ、およびイエローに対応付けられ、４つの画像ステーションＰａ、Ｐｂ、Ｐｃ、Ｐｄが構成されている。
【００２１】
ドラムクリーニング装置１４は、感光体ドラム１３の表面の残留トナーを除去および回収する。帯電器１５は、感光体ドラム１３の表面を所定の電位に均一に帯電させる。光走査装置１１は、感光体ドラム１３の表面を露光して静電潜像を形成する。現像装置１２は、感光体ドラム１３の表面の静電潜像を現像して、感光体ドラム１３の表面にトナー像を形成する。上述した一連の動作によって、各感光体ドラム１３の表面に各色のトナー像が形成される。
【００２２】
感光体ドラム１３の上側には、中間転写ベルト２１が配置されている。中間転写ベルト２１は、矢符Ｃの方向へ周回移動し、ベルトクリーニング装置２５によって残留トナーを除去および回収され、各感光体ドラム１３の表面に形成された各色のトナー像が順次転写して重ね合わされて、中間転写ベルト２１の表面にカラーのトナー像が形成される。
【００２３】
２次転写装置２６の転写ローラ２６ａは、中間転写ベルト２１との間にニップ域が形成されており、用紙搬送経路Ｒ１を通じて搬送されて来た用紙をニップ域に挟み込んで搬送する。用紙は、ニップ域を通過する際に、中間転写ベルト２１の表面のトナー像が転写されて定着装置１７に搬送される。
【００２４】
定着装置１７は、用紙を挟んで回転する定着ローラ３１および加圧ローラ３２を備えている。定着装置１７は、定着ローラ３１および加圧ローラ３２の間にトナー像が転写された記録用紙を挟み込んで加熱および加圧し、トナー像を記録用紙に定着させる。
【００２５】
給紙カセット５は、画像形成に使用する用紙を蓄積しておくためのカセットであり、光走査装置１１の下側に設けられている。用紙は、ピックアップローラ３３によって給紙カセット５から引き出されて、用紙搬送経路Ｒ１を通じて搬送され、２次転写装置２６や定着装置１７を経由し、用紙排出部に設けられた排紙ローラ３６を介して積載トレイ３９へと搬出される。用紙搬送経路Ｒ１には、用紙を一旦停止させて、用紙の先端を揃えた後、中間転写ベルト２１と転写ローラ２６ａとの間のニップ域でのカラーのトナー像の転写タイミングに合わせて用紙の搬送を開始するレジストローラ３４、用紙の搬送を促す搬送ローラ３５、および排紙ローラ３６が配置されている。
【００２６】
また、用紙の表面だけでなく、裏面に画像形成を行う場合は、用紙を排紙ローラ３６から反転経路Ｒｒへと逆方向に搬送して、用紙の表裏を反転させ、用紙をレジストローラ３４へと再度導き、表面と同様にして裏面に画像形成を行い、用紙を積載トレイ３９へと搬出する。
【００２７】
図２は、本発明の第１実施形態に係る画像形成装置を右前側から見た外観斜視図であって、図３は、本発明の第１実施形態に係る画像形成装置を左後側から見た外観斜視図である。
【００２８】
画像形成装置１の筐体４０は、略直方体形状とされ、上方に原稿搬送装置３が配設されている。また、画像形成装置１の上方において、原稿搬送装置３の手前には、操作パネル４５が配設されている。操作パネル４５には、各種キーと液晶ディスプレイとが配設されている。原稿搬送装置３の下方には、積載トレイ３９が配設されている。
【００２９】
筐体４０の側面は、主に前面４１、右側面４２、左側面４３（図３参照）、後面（支持側面４４）の４つで構成されており、前面４１と支持側面４４とが対向し、右側面４２と左側面４３とが対向している。以下では説明のため、右側面４２から左側面４３へ向かう方向を横方向Ｘと呼び、前面４１から支持側面４４へ向かう方向を奥行方向Ｙと呼ぶことがある。また、横方向Ｘおよび奥行方向Ｙに対し垂直で、下方から上方へ向かう方向を高さ方向Ｚと呼ぶことがある。
【００３０】
前面４１（図２では、左側）には、引き出し可能な収容部１８が配置されている。収容部１８には、積載カセット５が収容されており、収容部１８を引き出すことで、積載カセット５に用紙を補充することができる。
【００３１】
右側面４２（図２では、右側）には、開閉可能な手差しトレイ１９が配置されている。手差しトレイ１９は、開放することで用紙を積載することができる。手差しトレイ１９に積載された用紙は、用紙搬送経路Ｒ１を通じて搬送され、画像が形成される。また、右側面４２の下縁部には、内側に凹んだ凹状の右取手４２ａが２つ設けられている。ユーザは、右取手４２ａに手を差し入れることで、画像形成装置１を持ち上げることが容易になる。
【００３２】
左側面４３（図３では、右側）には、内側に凹んだ凹状の左取手４３ａが中央に設けられている。左取手４３ａには、右取手４２ａと同様に、ユーザが手を差し入れることができる。
【００３３】
支持側面４４（図３では、左側）には、内側に凹んだ凹状の取手部４４ａが設けられている。取手部４４ａは、支持側面４４の下縁部で左側面４３寄りに設けられており、右取手４２ａおよび左取手４３ａと同様に、ユーザが手を差し入れることができる。取手部４４ａの上方には、内側に向かって凹んだ側面固定部４４ｂが設けられている。側面固定部４４ｂには、ビス止めできるように、筐体４０（支持側面４４）を貫通する穴が開けられている。なお、取手部４４ａおよび側面固定部４４ｂについては、後述する図６および図７を参照して、詳細に説明する。
【００３４】
図４は、支持側面側から見た画像形成装置を示す側面図であって、図５は、図４に示す画像形成装置から支持側面に対応するカバーを取り外した状態を示す側面図である。なお、図４では、位置関係を明確にするために、支持側面４４を透視的に示しており、内部に収容された部品のうち、ＨＤＤ５０および補強部材６０を示し、それ以外は省略している。
【００３５】
筐体４０は、複数に分割されており、それらを組み合わせて、内部に部品を収容する構成とされている。図５では、図４に示す状態に対して、画像形成装置１から支持側面４４に対応するカバー（筐体４０の一部）が取り外されている。筐体４０の内部には、平板状の固定部材７０が設けられており、固定部材７０は、表面が支持側面４４に対向して固定されている。固定部材７０の表面には、ＨＤＤ５０（ハードディスクドライブ：Ｈａｒｄ  Ｄｉｓｋ  Ｄｒｉｖｅ）と補強部材６０とが固定されている。なお、固定部材７０には、さらにＭＦＰＣ基板などの複数の部品が固定されていてもよい。つまり、画像形成装置１は、支持側面４４の内側に複数の部品が取り付けられた固定部材７０が設けられており、支持側面４４に対応するカバーを外すことで、固定部材７０が露出される。また、画像形成装置１は、固定部材７０の内側に、画像ステーションＰａや定着装置１７などさらに複数の部品を備えている。
【００３６】
ＨＤＤ５０は、記憶媒体であって、画像形成部４によって用紙に形成される画像を記憶している。補強部材６０は、金属を材料とし、例えば、板金を成形したものである。すなわち、補強部材６０は、加えられた負荷によって変形しないように、金属などの剛性の強い材料で形成することが望ましい。なお、補強部材６０については、後述する図６ないし図８を参照して、詳細に説明する。
【００３７】
ＨＤＤ５０および補強部材６０は、固定部材７０の左側面４３寄りの下方（図５では、固定部材７０の右下側）に固定されており、補強部材６０は、ＨＤＤ５０の一部を覆うように配置されている。つまり、補強部材６０は、支持側面４４側から見た状態で、ＨＤＤ５０（特に、高さ方向ＺでのＨＤＤ５０の中央）と重なる位置に配置されている。また、図４に示すように、取手部４４ａは、支持側面４４側から見た状態で、ＨＤＤ５０の一部（特に、下端部）と重なる位置に配置されており、補強部材６０の下方に位置している。
【００３８】
次に、取手部４４ａ、ＨＤＤ５０、および補強部材６０の詳細な位置関係について、図面を参照して説明する。
【００３９】
図６は、図４の矢符Ａ−ＡでのＨＤＤ近傍を拡大して示す拡大断面図であって、図７は、図４の矢符Ｂ−ＢでのＨＤＤ近傍を拡大して示す拡大断面図であって、図８は、補強部材を示す外観斜視図である。
【００４０】
ＨＤＤ５０は、直方体状とされ、平面部が固定部材７０と奥行方向Ｙで対向して配置されており、固定部材７０は、ＨＤＤ５０と対向する部分にＨＤＤ取付板７１が固定されている。ＨＤＤ取付板７１は、略平板状とされ、湾曲して周縁より盛り上った中央部では、固定部材７０との間に隙間が設けられている。ＨＤＤ５０は、ＨＤＤ固定ビス５２によって、上端および下端にそれぞれＨＤＤ固定板５１が取り付けられている。ＨＤＤ固定板５１は、固定部材７０に向かって、奥行方向Ｙと反対方向に延伸しており、先端が固定部材７０に沿って高さ方向Ｚへ屈折している。そして、ＨＤＤ固定板５１は、先端がダンパー７２を介してＨＤＤ取付板７１に固定されている。つまり、ＨＤＤ５０は、ＨＤＤ固定板５１を介して固定部材７０に固定されており、奥行方向Ｙで固定部材７０から離間している。また、ダンパー７２は、固定部材７０からＨＤＤ５０に伝わる衝撃を緩和する。
【００４１】
補強部材６０は、補強対向部６１、補強延伸部６２、補強規制部６３、補強締結穴６４、および補強取付部６５を備える構成とされている。具体的には、補強対向部６１は、幅の細い略平板状に形成され、平面部が奥行方向Ｙで支持側面４４およびＨＤＤ５０（固定部材７０）と対向している。そして、補強対向部６１は、長手方向が横方向Ｘと平行にして配置され、横方向ＸでＨＤＤ５０より長く形成されている。補強延伸部６２は、補強対向部６１の長手方向の両端から固定部材７０に向かって、奥行方向Ｙと反対方向に延伸されており、端部には、固定部材７０に沿って屈折した補強取付部６５が設けられている。補強取付部６５は、ビスなどを挿入する穴が設けられており、補強固定ビス７３によって、固定部材７０に固定されている。また、補強取付部６５は、横方向ＸにおいてＨＤＤ５０から離間した位置で固定部材７０に取り付けられている。従って、補強部材６０は、ＨＤＤ５０から離間して設けられている。
【００４２】
補強対向部６１には、側面固定部４４ｂに面する位置に補強締結穴６４が設けられており、締結部材８０によって、側面固定部４４ｂと補強締結穴６４（補強部材６０）とが固定（締結）されている。締結部材８０は、例えば、ビスである。
【００４３】
補強規制部６３は、補強対向部６１の側縁部（図６では、下端）から固定部材７０の側に向かって延伸した形状とされており、下面が取手部４４ａの上面（取手支持面４４ｃ）と対向している。図７に示すように、補強規制部６３は、補強対向部６１の側縁部のうち一部の領域に設けられており、特に、取手部４４ａ（取手支持面４４ｃ）の上方に位置する領域に設けられ、上面視において、補強規制部６３と取手部４４ａとが重なるように配置されている。
【００４４】
取手部４４ａは、略水平な方向（図６では、奥行方向Ｙ）に延伸された取手支持面４４ｃが設けられている。具体的には、取手支持面４４ｃは、支持側面４４から筐体４０の内部に向かって延伸されており、補強対向部６１よりもＨＤＤ５０に近い位置まで延伸されている。取手支持面４４ｃのＨＤＤ５０側の端部からは、取手対向面４４ｄが下方に向かって延伸され、筐体４０の下面に接続されている。つまり、取手対向面４４ｄは、ＨＤＤ５０と対向するように形成されている。取手支持面４４ｃと補強規制部６３（補強対向部６１の下端）との間隔は、狭い隙間とされており、本実施の形態では、２ｍｍとされている。取手支持面４４ｃの横方向Ｘの幅は、補強規制部６３より大きく、且つ、補強対向部６１より小さく形成されている。取手部４４ａは、補強対向部６１の両端に設けられた補強延伸部６２の間に位置し、補強部材６０から離間している。
【００４５】
上述したように、取手部４４ａおよびＨＤＤ５０は、支持側面４４側で互いに対向するように設けられている。そして、補強部材６０は、支持側面４４とＨＤＤ５０との間に、それぞれから離間して設けられている。すなわち、衝撃等を受けて破損しやすいＨＤＤ５０を、ユーザによって支持される取手部４４ａの近傍に設けることで、移動させる際の衝撃を緩和して耐衝撃性を向上させることができる。つまり、外部から局所的に押圧されるなどの衝撃に対しては、ＨＤＤ５０を覆う補強部材６０によって、ＨＤＤ５０に衝撃が直接伝わらないようにしている。また、画像形成装置１を床面に下ろす際の衝撃に対しては、ＨＤＤ５０の近傍に設けられた取手部４４ａをユーザに支持させることで、ユーザによって床面との距離が把握され、勢いよく床面に激突させるといった事態を回避することができる。さらに、画像形成装置１を支持する際、取手部４４ａに対して、ユーザが心理的に注意を払って丁寧に扱うことから、特に、取手部４４ａの近傍に対して衝撃を与えない構成とすることができる。
【００４６】
具体的には、ユーザが画像形成装置１を持ち上げる際、取手部４４ａに手を差し入れて、取手支持面４４ｃに指を掛ける。このとき、筐体４０に局所的な負荷が加わることで、取手部４４ａが変形するなどして、上方へ移動しようとするが、補強規制部６３によって、取手部４４ａの上方への移動を規制している。従って、補強規制部６３によって取手部４４ａの移動を規制することで、画像形成装置１を持ち上げた際の衝撃がＨＤＤ５０に伝わらないようにすることができる。つまり、取手部４４ａを支持する力を受けて撓むといった筐体４０（取手部４４ａ）の変形に対し、筐体４０から離間している補強規制部６３で受け止めることで、筐体４０とＨＤＤ５０とが接しないようにしている。ここで、取手支持面４４ｃと補強規制部６３とが平面同士が対向する形状とすることで、取手部４４ａと補強規制部６３とが広い面積で接する構造となり、強い負荷が加わっても確実に取手部４４ａの移動を規制することができる。また、締結部材８０によって、支持側面４４と補強部材６０との位置ズレを規制することで、筐体４０とＨＤＤ５０との接触を防止できる。
【００４７】
また、ユーザは、取手支持面４４ｃに指を掛けると伴に、取手部４４ａの上方の支持側面４４にも手を添えて、画像形成装置１を支持することがあり、支持側面４４に加わる衝撃に対しては、補強部材６０で受け止めることで、ＨＤＤ５０に直接衝撃が伝わることを防止できる。
【００４８】
さらに、固定部材７０にＨＤＤ５０および補強部材６０が固定されているため、補強部材６０に負荷が加わっても、補強部材６０とＨＤＤ５０との距離を保つことができ、ＨＤＤ５０に加わる衝撃を緩和することができる。
【００４９】
図９は、上面視した状態の画像形成装置における取手部と重心との位置関係を示す概略上面図である。図９では、図面の見易さを考慮して、原稿搬送装置３や操作パネル４５などを省略した筐体４０の模式的な形状を示し、筐体４０における取手部４４ａ、右取手４２ａ、および左取手４３ａの位置を透視的に示している。
【００５０】
図９に示すように、右側面４２には、２つの右取手４２ａが設けられ、左側面４３には、左取手４３ａが設けられ、支持側面４４（後面）には、取手部４４ａが設けられている。画像形成装置１を持ち上げる際は、複数のユーザによって、取手部４４ａ、右取手４２ａ、および左取手４３ａが支持される。ところで、本実施の形態の画像形成装置１においては、内部の部品の集積化などによって、上面視における画像形成装置１の重心Ｇが中心よりも、支持側面４４寄りに位置している。つまり、互いに対向する側面に設けられた右取手４２ａと左取手４３ａとを支持した場合では、画像形成装置１が支持側面４４側に傾き、落下してしまう虞があった。しかしながら、取手部４４ａを画像形成装置１の重心Ｇに近い支持側面４４側に設けたことで、画像形成装置１を持ち運ぶ際、重量の偏りを緩和して安定させることができる。
【００５１】
次に、本発明の第２実施形態に係る画像形成装置について、図面を参照して説明する。
【００５２】
図１０は、本発明の第２実施形態に係る画像形成装置におけるＨＤＤ近傍を拡大して示す拡大断面図である。なお、図１０は、図４の矢符Ａ−Ａでの断面に相当する。第２実施形態は、第１実施形態と略同様の構造とされている。そのため、補強部材６０、取手部４４ａおよびＨＤＤ５０に注目した図面のみを示し、他の図面を省略する。
【００５３】
第２実施形態は、第１実施形態に対して、補強部材６０の形状が異なっている。具体的には、補強部材６０は、補強規制部６３が設けられておらず、補強対向部６１、補強延伸部６２、補強締結穴６４、および補強取付部６５を備える構成とされている。補強規制部６３を設けない構成とした場合には、補強部材６０を取手部４４ａの上方に設け、補強対向部６１によって、取手部４４ａの移動を規制してもよい。
【００５４】
次に、本発明の第３実施形態に係る画像形成装置について、図面を参照して説明する。
【００５５】
図１１は、本発明の第３実施形態に係る画像形成装置におけるＨＤＤ近傍を拡大して示す拡大断面図である。なお、図１１は、図４の矢符Ａ−Ａでの断面に相当する。第３実施形態は、第１実施形態と略同様の構造とされている。そのため、補強部材６０、取手部４４ａおよびＨＤＤ５０に注目した図面のみを示し、他の図面を省略する。
【００５６】
第３実施形態は、第１実施形態に対して、支持側面４４の形状が異なっている。具体的には、支持側面４４は、側面固定部４４ｂが設けられておらず、支持側面４４と補強部材６０とを固定する締結部材８０を備えていない。このような構成とした場合には、例えば、支持側面４４および取手部４４ａと補強部材６０とが近い位置に設けられていれば、筐体４０の移動を規制して補強部材６０で受け止める構造とすることができる。
【００５７】
なお、今回開示した実施の形態は全ての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味および範囲内での全ての変更が含まれる。
【符号の説明】
【００５８】
１  画像形成装置
４０  筐体
４１  前面
４２  右側面
４２ａ  右取手
４３  左側面
４３ａ  左取手
４４  支持側面
４４ａ  取手部
４４ｂ  側面固定部
４４ｃ  取手支持面
４４ｄ  取手対向面
５０  ＨＤＤ
５１  ＨＤＤ固定板
５２  ＨＤＤ固定ビス
６０  補強部材
６１  補強対向部
６２  補強延伸部
６３  補強規制部
６４  補強締結穴
６５  補強取付部
７０  固定部材
７１  ＨＤＤ取付板
７２  ダンパー
７３  補強固定ビス
８０  締結部材
Ｇ  重心
Ｘ  横方向
Ｙ  奥行方向
Ｚ  高さ方向
【図１】
0006261464.tif 000002
【図２】
0006261464.tif 000003
【図３】
0006261464.tif 000004
【図４】
0006261464.tif 000005
【図５】
0006261464.tif 000006
【図６】
0006261464.tif 000007
【図７】
0006261464.tif 000008
【図８】
0006261464.tif 000009
【図９】
0006261464.tif 000010
【図１０】
0006261464.tif 000011
【図１１】
0006261464.tif 000012